(57)【要約】【課題】  誤り訂正データを主信号波長とは別波長で一括伝送する時の当該データ自体の誤り耐力を向上することにより、主信号の誤り耐力を向上できるようにする。【解決手段】  複数の波長λ１〜λ４の主信号に対する各誤り訂正データを主信号とは別の波長λ５で一括して送信する場合において、送信側９Ａから、上記各誤り訂正データを元のデータレートよりも下げて上記別の波長λ５にて送信し、受信側９Ｂにおいて、上記別の波長λ５にて送信されてくる誤り訂正データのデータレートを元のデータレートに戻し主信号に対する誤り訂正タイミングを合わせた上で、主信号に対する誤り訂正を行なうようにする。【選択図】        図２
2005210623.tif 000002
【特許請求の範囲】
【請求項１】
波長多重伝送システムに用いられ、複数の波長の主信号に対する各誤り訂正データを該主信号とは別の波長で一括して送信する誤り訂正方法において、
送信側から、上記各誤り訂正データを元のデータレートよりも下げて上記別の波長にて送信し、
受信側において、上記別の波長にて送信されてくる該誤り訂正データのデータレートを元のデータレートに戻し該主信号に対する誤り訂正タイミングを合わせた上で、該主信号に対する誤り訂正を行なうことを特徴とする、波長多重伝送システムに用いられる誤り訂正方法。
【請求項２】
波長多重伝送システムに用いられ、複数の波長の主信号に対する各誤り訂正データを該主信号とは別の波長で一括して送信する誤り訂正システムを構成する誤り訂正送信装置であって、
上記各誤り訂正データを元のデータレートよりも低いデータレートに変換する誤り訂正データレート変換手段と、
該誤り訂正データレート変換手段により変換されたデータレートで該誤り訂正データを上記別の波長にて送信する光送信手段とをそなえて構成されたことを特徴とする、波長多重伝送システムに用いられる誤り訂正送信装置。
【請求項３】
波長多重伝送システムに用いられ、複数の波長の主信号に対する各誤り訂正データを該主信号とは別の波長で一括して送信する誤り訂正システムを構成する誤り訂正受信装置であって、
送信側から元のデータレートよりも低いデータレートで上記別の波長にて送信されてくる該誤り訂正データを元のデータレートに変換して再生する誤り訂正データレート変換再生手段と、
該誤り訂正データレート変換再生手段により再生された誤り訂正データと、対応する主信号との誤り訂正タイミングのタイミング調整を行なうタイミング調整手段とをそなえて構成されたことを特徴とする、波長多重伝送システムに用いられる誤り訂正受信装置。
【発明の詳細な説明】
【技術分野】
【０００１】
本発明は、波長多重伝送システムに用いられる誤り訂正方法並びに誤り訂正送信装置及び誤り訂正受信装置に関し、特に、誤り訂正データを主信号波長とは別波長で一括送信する誤り訂正手法に好適な技術に関する。
【背景技術】
【０００２】
従来より、波長多重（ＷＤＭ：Wavelength Division Multiplexing）光伝送技術においては、長距離伝送化や高ビットレート化を実現するに当たって、使用波長範囲の拡大やチャンネル（波長）配置の高密度化が図られるとともに、光ファイバ特性等の影響を受けにくいエラー耐力の強い伝送（エラーフリー伝送）を実現するために、様々な工夫がなされている。その一つとして誤り訂正符号化は、有力な手法である。
【０００３】
図９は従来の誤り訂正符号化方式の一例を説明するための模式図である。この図９に示すように、従来の誤り訂正符号化方式では、複数の独立なクライアント信号〔ＳＯＮＥＴ（Synchronous Optical NETwork）やＳＤＨ（Synchronous Digital Hierarchy）の信号で、ここでは波長λ１〜λ４の４チャンネル分（ＣＨ１〜４）を示している〕をいったん終端した後、ディジタルラッパ（Digital Wrapper）技術〔ITU-T (International Telecommunication Union-Telecommunication Standardization Sector)勧告G.709に盛り込まれている、OTN (Optical Transport Network：光伝送網)向けのフレーム・フォーマット技術〕により、チャンネル毎に、誤り訂正（ＦＥＣ：Forward Error Correction）情報をペイロード（クライアント信号）に付加するとともに光チャンネルヘッダ（フレーム同期信号：Ｓ）を付加してディジタルラッパフレームを構成し、これを電気・光変換した上で、ＷＤＭ多重化装置へ送出する。
【０００４】
受信側においては、逆に、上記ＷＤＭ多重化装置により多重化されて伝送されてくるＷＤＭ信号を波長毎に分離し、それぞれ光・電気変換を行なった後、チャンネル毎に、クロックの抽出（再生）を行ない、当該クロックにより、各チャンネルのディジタルラッパフレームの再同期化を行なう。そして、検出されたフレーム同期信号を基に、送信側とは逆に、ディジタルラッパフレームを分解し、付加されているＦＥＣ情報から、誤りがあった場合はその訂正処理を行なって、ビットエラーのないクライアント信号を再生し、チャンネル毎に送出する。
【０００５】
しかしながら、本方式では、チャンネル毎にＦＥＣ処理を行なうことにより、通常状態において、誤り率を改善できるが、使用する波長帯によっては、非線形歪、チルト、また、長距離伝送においては、ロスリミットの制限から、各チャンネルが必ずしもエラーに対する耐力として同じレベルを維持できるとは限らない。そのため、チャンネル毎に付加するＦＥＣ情報量を変更せずに本方式を実現するには、チャンネル毎に、最小受信感度の高い電気・光変換デバイスや光・電気変換デバイスといった高価な光部品が必要となりコストの大幅な増加を招いてしまう。
【０００６】
一方、各チャンネルの誤り訂正耐力を向上させるには、チャンネル毎に付加するＦＥＣ情報量を増やすことで対応できるが、この場合、各チャンネルの符号効率が悪化するだけでなく、それに伴うビットレート変更によるシステムクロック周波数の変更や、光・電気変換器、電気・光変換器等の変更等、既存設備への影響が増大する。
そこで、例えば下記特許文献１に記載されているように、誤り訂正のために送信すべき冗長ビットに、主信号を送信する波長とは別の波長を割り当てて主信号と冗長ビットとを波長多重伝送する技術も提案されている。これにより、本技術では、信号速度をＳＤＨに完全に準拠することができ、伝送システムの監視・制御の高機能化を妨げることなく信号品質を向上させることができ、また、従来の再生中継器に冗長ビット用の識別再生回路を加えるだけで多重化端局装置のエンド・エンド間の符号／復号が可能となる（段落００４３〜００４５等参照）。
【特許文献１】特開平１１−３２００８号公報
【発明の開示】
【発明が解決しようとする課題】
【０００７】
しかしながら、上記特許文献１には、誤り訂正のための冗長ビットを主信号とは別の波長を用いて伝送することについて開示はあるものの、その伝送方法の詳細については何ら開示がない。即ち、特許文献１では、冗長ビット用に割り当てられた波長（チャンネル）の状況によっては冗長ビット自体に誤りが発生し、冗長ビット自体の誤り耐力が劣化してしまう結果、主信号についての誤り訂正が不十分になってしまう場合があることを何ら考慮していない。
【０００８】
本発明は、このような課題に鑑み創案されたもので、誤り訂正データを主信号波長とは別波長で一括伝送する時の当該データ自体の誤り耐力を向上することにより、主信号の誤り耐力を向上できるようにすることを目的とする。
【課題を解決するための手段】
【０００９】
上記の目的を達成するために、本発明の波長多重伝送システムに用いられる誤り訂正方法（請求項１）は、複数の波長の主信号に対する各誤り訂正データを該主信号とは別の波長で一括して送信する誤り訂正方法において、送信側から、上記各誤り訂正データを元のデータレートよりも下げて上記別の波長にて送信し、受信側において、上記別の波長にて送信されてくる該誤り訂正データのデータレートを元のデータレートに戻し該主信号に対する誤り訂正タイミングを合わせた上で、該主信号に対する誤り訂正を行なうことを特徴としている。
【００１０】
また、本発明の波長多重伝送システムに用いられる誤り訂正送信装置（請求項２）は、複数の波長の主信号に対する各誤り訂正データを該主信号とは別の波長で一括して送信する誤り訂正システムを構成する誤り訂正送信装置であって、上記各誤り訂正データを元のデータレートよりも低いデータレートに変換する誤り訂正データレート変換手段と、該誤り訂正データレート変換手段により変換されたデータレートで該誤り訂正データを上記別の波長にて送信する光送信手段とをそなえて構成されたことを特徴としている。
【００１１】
さらに、本発明の波長多重伝送システムに用いられる誤り訂正受信装置（請求項３）は、複数の波長の主信号に対する各誤り訂正データを該主信号とは別の波長で一括して送信する誤り訂正システムを構成する誤り訂正受信装置であって、送信側から元のデータレートよりも低いデータレートで上記別の波長にて送信されてくる該誤り訂正データを元のデータレートに変換して再生する誤り訂正データレート変換再生手段と、該誤り訂正データレート変換再生手段により再生された誤り訂正データと、対応する主信号との誤り訂正タイミングのタイミング調整を行なうタイミング調整手段とをそなえて構成されたことを特徴としている。
【発明の効果】
【００１２】
上記本発明によれば、各主信号に対する誤り訂正データ自体の誤り耐力を向上させることができるので、主信号に対する誤り訂正能力を間接的（相対的）に向上させることができ、波長多重伝送に使用できる波長範囲を従来よりも拡大することができる。
【発明を実施するための最良の形態】
【００１３】
〔１〕全体構成の説明
図１は本発明の一実施形態としての誤り訂正システムが適用される波長多重（ＷＤＭ）伝送システムの構成を示すブロック図で、この図１に示すシステムでは、入力信号はディジタルラッパ信号（フレーム）であり、入力数は４チャンネル（ＣＨ１〜ＣＨ４）としている。各チャンネルは、互いに非同期信号であり、ディジタルラッパ信号の先頭フレーム位相も非同期である。そして、各チャンネルの主信号は、そのまま、電気・光変換器（Ｅ／Ｏ）１−１〜１−４へ送出されるが、各チャンネルの主信号を基に誤り訂正符号化部９−１〜９−４により生成される誤り訂正信号（ＦＥＣデータ）は、誤り訂正用フレーマ５へ送出される。
【００１４】
誤り訂正用フレーマ５は、書き込み・読み出し非同期動作可能なバッファメモリ（ＦＩＦＯ）５１をそなえて構成され、各チャンネルのＦＥＣデータは、対応するラッパフレームのマルチフレーム番号毎に、予め決めたＦＩＦＯ５１の該当アドレスに書き込まれる。この処理は、チャンネル毎に独立である。
誤り訂正用フレーマ５の読み出し側は、チャンネル毎にシーケンシャルに読み出し〔図１中のＰ／Ｓ（パラレル／シリアル変換）参照〕、フレーム同期パターン信号、各チャンネルのマルチフレーム番号等を多重化部（MUX）５３にて付加して、マルチフレーム信号（誤り訂正データ多重化フレーム）を生成する。生成されたマルチフレーム信号（誤り訂正用フレーム）は、電気・光変換器（Ｅ／Ｏ）１−５へ送出され、各チャンネルの主信号波長λ１〜λ４とは別の波長（誤り訂正用波長λ５）でＷＤＭ伝送される。即ち、波長λ５のマルチフレーム信号と波長λ１〜λ４の各主信号とがＷＤＭ多重化部２にて波長多重されて光伝送路（光ファイバ）３を伝送される。なお、誤り訂正用フレームを伝送する波長λ５には、できるだけ誤り訂正の少ない伝送品質の良い波長を選ぶのが望ましい。
【００１５】
一方、受信側では、光伝送路３からの受信ＷＤＭ信号をＷＤＭ分離部４にて各波長λ１〜λ５の光信号に分離し、各光信号を対応する光・電気変換器（Ｏ／Ｅ）５−１〜５−５に入力する。
Ｏ／Ｅ５−５では、波長λ５の光信号を電気信号に変換するとともに、誤り訂正用フレーム及びクロックを再生する。再生された誤り訂正用フレームは、マルチフレーム同期検出部６により、フレーム同期パターン信号及び各チャンネル（ＣＨ１〜４）に関する付加情報（マルチフレーム番号等）を基に、誤り訂正用フレームに多重化された各ＦＥＣデータをチャンネル毎に、該当するバッファメモリ（ＦＩＦＯ）７のアドレスに、再生したクロックに同期して書き込まれる。
【００１６】
これに対し、Ｏ／Ｅ５−１〜５−４では、主信号（ＣＨ１〜４）のデータ及びクロックを再生する。なお、各クロックは独立である。そして、マルチフレーム同期検出部１２−１〜１２−４が、各チャンネルの主信号データからそれぞれマルチフレーム同期を検出し、検出したフレーム同期パルス及びマルチフレーム番号をバッファメモリ７に出力する。これにより、上記マルチフレーム番号，フレーム同期パルス及びチャンネル毎の再生クロックに同期して、バッファメモリ７から、該当マルチフレームの該当アドレスに書き込まれたＦＥＣデータがシーケンシャルに読み出されて、誤り訂正復号化部８に出力される。
【００１７】
誤り訂正復号化部８は、このように読み出されたＦＥＣデータに基づき、Ｏ／Ｅ５−１〜５−４からの各主信号データについての誤り訂正を行なって各チャンネル（ＣＨ１〜４）の主信号を再生（復元）する。
このように、本実施形態では、互いに独立（非同期）の各チャンネル（主信号）入力を、同期化し、ディジタルラッパ処理上で生成するＦＥＣデータを、各チャンネル分まとめてフレーム化し、誤り訂正の少ない別波長にて伝送し、受信側において、このフレームのＦＥＣデータを使って誤り訂正処理及び再生処理することにより、一括して全チャンネルの誤り耐力を向上させることができる。
【００１８】
ここで、一般的に、伝送ビット誤りは、フレーム同期エラー以下のエラーレートに対して、誤り訂正を施すことによって、１０-2〜１０-3程度改善できるとされ、それ以下のエラーレートでは受信信号はエラーフリーとなる。この場合、中間のエラーレートでは、ビットエラーが発生すると、受信側ではそのまま受信エラーとなることを意味する。この原因は誤り訂正符号自身のビットエラーに起因する。従って、もしこれを改善できれば、前記の中間のビットエラーがなくなる。
【００１９】
〔２〕誤り訂正システムの説明
このため、本実施形態の誤り訂正システムは、例えば図２に示すように、送信側（誤り訂正送信装置）９Ａとして、チャンネル毎の前記誤り訂正符号化部９−１〜９−４と、前記誤り訂正用フレーマ５と、前記Ｅ／Ｏ１−５と、ローカル発振器（ＯＳＣ）１０とをそなえて構成され、受信側（誤り訂正受信装置）９Ｂとして、前記Ｏ／Ｅ５−５と、前記マルチフレーム同期検出部６と、前記バッファメモリ（ＦＩＦＯ）７と、チャンネル毎の前記マルチフレーム同期検出部１２−１〜１２−４と、前記誤り訂正復号化部８としてチャンネル毎の誤り訂正復号部８−１〜８−４とをそなえて構成されている。
【００２０】
なお、符号１５−１〜１５−４は、それぞれ、誤り訂正復号部８−１〜８−４による誤り訂正後の主信号データと、Ｅ／Ｏ５−１〜５−４からの誤り訂正しない主信号データ（ラッパスルー信号）を選択するセレクタを表し、どちらの信号も選択できるようになっている。また、図１及び図２では、一方向（紙面右方向）への伝送システム構成しか図示していないが、逆方向の構成も同様である。
【００２１】
（２．１）送信側の説明
ここで、送信側９Ａにおいて、誤り訂正符号化部９−１〜９−４は、それぞれ、対応するＥ／Ｏ１−１〜１−４によるＥ／Ｏ変換前の主信号データとその送信クロック（CK1S〜CK4S）の供給を受けて、主信号データ〔ディジタルラッパフレーム全体或いは一部分（例えば、ディジタルラッパフレームのＦＥＣを除くデータ）〕を対象としたＦＥＣデータを生成するものであり、誤り訂正用フレーマ（誤り訂正データ多重化フレーマ）５は、ローカル発振器１０から供給されるクロックに従って、上述したごとく各チャンネルのＦＥＣデータを多重化して誤り訂正用フレーム（誤り訂正データ多重化フレーム）を生成するものであり、Ｅ／Ｏ（光送信手段）１−５は、前述したとおり、この誤り訂正用フレーマ５により生成された誤り訂正用フレームを主信号波長λ１〜λ４とは別の波長λ５の光信号に変換してＷＤＭ多重化部２へ出力するものである。
【００２２】
このため、誤り訂正用フレーマ５は、例えば図３に示すように、ライトフレームカウンタ５０，速度変換用のバッファメモリ（ＦＩＦＯ）５１，リードフレームカウンタ５２及び多重化部５３をそなえて構成される。なお、この誤り訂正用フレーマ５には、前記ＦＥＣデータ（WFEC）[3]，ＦＥＣフレーム番号[6]（主信号は、ディジタルラッパのようなマルチフレーム構造と仮定しているので、マルチフレーム番号に相当する），クロック[2]及び主信号のディジタルラッパフレームのフレームパルス（ＦＰ）[1]が入力される。
【００２３】
ここで、バッファメモリ５１は、上記ＦＥＣデータ（WFEC）[3]及びＦＥＣフレーム番号[6]を一時的に保持して速度変換するためのもので、ここでは、読み出し（リード）及び書き込み（ライト）周期の位相が非同期のため、最大１フレーム分（主信号フレーム或いは誤り訂正用フレームの１周期）ずれることを考慮して、多重化するＦＥＣデータビットの２倍（２フレーム分）の容量を有する。
【００２４】
ライトフレームカウンタ５０は、上記ＦＰ[1]を受けて、このバッファメモリ５１の所定のアドレスに、上記ＦＥＣデータ（WFEC）[3]及びＦＥＣフレーム番号（マルチフレーム番号）[6]を書き込むためのライトアドレス（WAD）[5]，[8]及びこれらのライトデータに同期したライトクロック（WCLK）[4]，[8]を生成するものである。
リードフレームカウンタ５２は、ローカル発振器１０からのクロック[16]を動作クロックとして受けて、ディジタルラッパフレームのＦＰ[1]と同じ周期の各種タイミング信号を生成するもので、誤り訂正用フレームの周期で、多重化位置のタイミングでＦＥＣデータ[3]及びマルチフレーム番号[6]をそれぞれ読み出すためのリードアドレス（RAD）[13]及び[15]を生成し、バッファメモリ５１から該当ＦＥＣデータ[11]及びマルチフレーム番号[14]をそれぞれ読み出し、これらを多重化部５３へ送出させるためのものである。
【００２５】
多重化部５３は、所定のフレーム構成に従って、フレーム同期パターン（ユニークワード（ＵＷ）） [20]，ＦＥＣデータ長[9]，データレート（設定）情報[10]，バッファメモリ５１から読み出されたＦＥＣデータ[11]及びＦＥＣフレーム番号[14]等を、順次、多重化して、多重化データ[18]、即ち、誤り訂正用フレームを生成・送出するものである。この多重化データ[18]は、Ｅ／Ｏ１−５にて波長λ５の光信号に変換された後、ＷＤＭ多重化部２に送出される。なお、上記マルチフレームの生成及び送出は、ライト側（ライトフレームカウンタ５０）の動作クロック[2]とは独立したローカル発振器１０のクロック[16]に同期して行なわれる。
【００２６】
ここで、上記誤り訂正用フレームのフレーム構造例を図５及び図６に示す。図５は主信号チャンネルがシングルチャンネルの場合のフレーム構造例を示す。誤り訂正用フレーム周期は主信号フレーム周期と一致する。この図５に示すように、誤り訂正用フレームは、例えば、ヘッダ部２１とデータ部２２とを有し、ヘッダ部２１には、フレーム同期パターン（８ビット），ＦＥＣフレーム番号〔８ビット（０〜２５５）〕，データレート（設定）情報（８ビット：データレートを下げる割合）及び誤り訂正データ数（ＦＥＣデータ長）（１６ビット）が設定され、データ部２２には、誤り訂正（ＦＥＣ）データが設定され、残り（空き部分）は用途不問のダミー情報（未使用データ）となる。
【００２７】
なお、上記データレート情報としては、例えば、０＝「スルー」，１＝「２倍」，２＝「４倍」，３＝「８倍」，４＝「１６倍」等があり、０（スルー）は誤り訂正データを元のデータレートのまま伝送することを意味し、他は２倍、４倍、８倍、１６倍等に伸長する（つまり、データレートを１／２、１／４、１／８、１／１６等に下げる）ことを意味している。つまり、各チャンネルのＦＥＣデータの全部又は一部のデータレートを選択的に下げて伝送できる。また、上記フレーム同期パターンには、受信側９Ｂで、主信号データの引き込み時間が早いことが望ましいので、前述したように引き込み時間が早いＵＷ等の特殊パターンを適用するのが望ましい。
【００２８】
これに対し、主信号チャンネルが２チャンネルの場合は、図６に示すように、ヘッダ部２１に、各チャンネルに共通のフレーム同期パターン（８ビット）が設定されるとともに、ＦＥＣフレーム番号，データレート設定情報及び誤り訂正データ数（ＦＥＣデータ長）がチャンネル数分だけ設定され、且つ、データ部２２に、チャンネル数分の誤り訂正（ＦＥＣ）データが順次設定され、残り（空き部分）はこの場合も用途不問のダミー情報となる。
【００２９】
なお、この図６では、各チャンネルで誤り訂正方式に違いがあることにより、誤り訂正データ量が異なる場合を示している。つまり、誤り訂正用フレーム内のビット割り当てを可変することにより多重化する複数チャンネルに対して、任意の誤り訂正方式のＦＥＣデータを割り当てることが可能なのである。３チャンネル数以上の場合も、ヘッダ部２１の情報量を同様に増加することにより対応できる。
【００３０】
そして、この際、回線（チャンネル）状況（エラーレート等）に応じて、使用する誤り訂正方式を適応的に選択すれば、システムの最適化を図ることが可能である。その実現手法としては、例えば、受信側９Ｂにおいて、チャンネル単位に主信号のエラーレートを監視しておき、当該エラーレートに応じて使用すべき誤り訂正方式を明示する情報を送信側９Ａにフィードバックすること等が考えられる。このフィードバックには、光監視制御チャンネル（ＯＳＣ：Optical Supervisory Channel）を用いてもよいし、逆方向への誤り訂正用フレームのデータ部２２（上記空き部分）を用いてもよい。
【００３１】
このように、本実施形態の誤り訂正用フレーマ５は、上記各チャンネルの誤り訂正データを選択的に元のデータよりも低い可変レートで多重化した多重化信号をデータ部２２に有するとともに、多重化した誤り訂正データのデータレート情報をヘッダ部２１に有する誤り訂正用フレームを生成することにより、上記各チャンネルの誤り訂正データを元のデータレートよりも低いデータレートに変換するデータレート変換手段を構成する。
【００３２】
受信側９Ｂでは、上記ヘッダ部２１に設定された情報を基に、誤り訂正データを再生することになる。
以上のような構成により、送信側９Ａは、次のように動作する。
即ち、送信側９Ａには、誤り訂正符号化部９−ｉから、誤り訂正（ＦＥＣ）データ（WFEC）[3]，ＦＥＣフレーム番号[6]，クロック（CLK）[1]及び主信号のラッパのＦＰ[1]がライトフレームカウンタ５０，バッファメモリ５１に入力されてくる。
【００３３】
ライトフレームカウンタ５０は、上記ＦＰ[1]に同期して、バッファメモリ５１の所定のアドレスに、ＦＥＣデータ（WFEC）[3]を書き込むためのライトアドレス（WAD）[5]及びライトデータに同期したライトクロック（WCLK）[4]を生成する。
誤り訂正用フレームの生成は、クロック[1]とは独立したローカル発振器１０のクロック[16]に同期して行なわれる。即ち、ローカル発振器１０からのクロック[16]が、誤り訂正用フレーム生成のためのリードフレームカウンタ５２に入力され、リードフレームカウンタ５２は、このクロック[16]に同期して、ディジタルラッパフレームのＦＰと同じ周期の各種タイミング信号を生成する。即ち、誤り訂正用フレームの周期で、多重化位置のタイミングでリードアドレス（RAD）[13]及び[15]を生成し、これらによってバッファメモリ５１の該当するアドレスからＦＥＣフレーム番号[14]及びＦＥＣデータ（RFEC）[11]を読み出して多重化部５３へ送出する。
【００３４】
多重化部５３は、所定のフレーム構成（図５又は図６参照）に従って、ＵＷ同期パターン[20]，ＦＥＣデータ長[9]，データレート情報[10]，ＦＥＣデータ（RFEC）[11]及びＦＥＣフレーム番号[14]を順次、多重化し、多重化データ[18]を送出する。この多重化データ[18]はＥ／Ｏ１−５にて波長λ５の光信号に変換されたのち、ＷＤＭ多重化部２にて各チャンネルの主信号の光信号（波長λ１〜λ４）と波長多重されてＷＤＭ信号として光伝送路３へ送信される。
【００３５】
（２．２）受信側の説明
一方、受信側９Ｂ（図２参照）において、マルチフレーム同期検出部６は、例えば図４に示すように、ユニークワード（ＵＷ）フレーム同期検出部６１，フレームカウンタ６２，分離部（DMUX）６３及びライトアドレス生成部６４をそなえて構成される。
ここで、ＵＷフレーム同期検出部（誤り訂正データ多重化フレーム検出部）６１は、Ｏ／Ｅ５−５にて電気信号に戻された受信データ[22]から、誤り訂正用フレームのフレーム同期パターンを検出し、検出する都度フレームパルス（ＦＰ）[24]をフレームカウンタ６２に出力するものである。なお、本例では、フレーム同期パターンとして、マルチフレームではなく、図５及び図６により前述したように、データ列には発生頻度が低い特殊パターン（ＵＷ）を適用することにより、主信号のマルチフレーム同期よりも早期にフレーム同期回復を行なえるようになっている。
【００３６】
フレームカウンタ６２は、上記ＵＷフレーム同期検出部６１からの上記ＦＰ[24]を受けて受信した誤り訂正用フレーム数をカウントして、誤り訂正用フレームのヘッダ部２１を分離するためのセレクト信号[25]及びライトアドレス生成部６４のためのタイミング信号（同期タイミング）[28]を生成するものである。
DMUX６３は、フレームカウンタ６２からの上記セレクト信号[25]により、誤り訂正用フレーム（ヘッダ部２１）から、ＦＥＣフレーム番号[26]及びデータレート情報[27]を抽出するもので、これらはライトアドレス生成部６４へ供給されるようになっている。
【００３７】
ライトアドレス生成部６４は、上記の受信データ[22]及びＦＥＣフレーム番号[26]を速度変換用のバッファメモリ（ＦＩＦＯ）７へのライトアドレス（WAD）[30]を生成するもので、ここでは、上記データレート情報[27]に基づき、データレートを変更されて（下げて）送信されてきた誤り訂正データ（WFEC）[29]を元のレートに戻しながらバッファメモリ７に書き込まれるよう、間引きしたライトアドレス（WAD）[30]を生成するようになっている。
【００３８】
バッファメモリ７は、主信号と誤り訂正データとの遅延（位相差）を解消できるのに充分な容量として、誤り訂正データの主信号のマルチフレーム（仮に１６マルチフレームとすれば、１６×誤り訂正データビット数の容量）分のメモリ容量を有する。
つまり、上記マルチフレーム同期検出部６（ライトアドレス生成部６４）及びバッファメモリ７は、送信側９Ａから元のデータレートよりも低いデータレートで波長λ５にて送信されてくる誤り訂正データを元のデータレートに変換して再生する誤り訂正データレート変換再生手段として機能し、より具体的には、マルチフレーム同期検出部６で検出された誤り訂正用フレームのヘッダ部２１に設定されているデータレート情報に基づき上記各誤り訂正データを元のデータレートに変換して再生する誤り訂正データ再生部として機能する。
【００３９】
なお、図４において、１６はフレーム遅延メモリ、１７はリードアドレス生成部をそれぞれ示し、フレーム遅延メモリ（タイミング調整手段）１６は、Ｏ／Ｅ５−ｉで電気信号に変換された主信号データを一時的に保持し、バッファメモリ７から読み出される誤り訂正データとタイミングが一致するよう遅延（タイミング調整）するためのもので、ここでは、主信号の２フレーム分相当のメモリ容量を有している。また、リードアドレス生成部１７は、マルチフレーム同期検出部１２−ｉで検出されるマルチフレーム番号[35]及びフレームパルス[36]に基づき、バッファメモリ７における主信号のマルチフレーム番号に該当するフレーム番号（リードＦＥＣフレーム番号）[40]及び誤り訂正復号化に必要なタイミングのリードアドレス（RAD）[37]を生成してバッファメモリ７に供給するものである。
【００４０】
以上の構成により、受信側９Ｂは、次のように動作する。
即ち、ＷＤＭ分離部４で分離された誤り訂正用フレームの光信号（波長λ５）は、光入力[21]としてＯ／Ｅ５−５に入力され、このＯ／Ｅ５−５にて電気信号に戻される（受信データ[22]が出力される）。その際、当該データに同期したクロック（CLK）[23]の抽出処理が行なわれ、各処理部（フレームカウンタ６２，ライトアドレス生成部６４，バッファメモリ７）へ渡される。
【００４１】
受信データ[22]は、ＵＷフレーム同期検出部６１にて誤り訂正用フレームのフレーム同期パターン（ＵＷ）検出が行なわれ、ＦＰ[24]がフレームカウンタ６２に出力される。フレームカウンタ６２は、当該ＦＰ[24]を基に、誤り訂正用フレームのヘッダ部２１を分離するためのセレクト信号[25]及びライトアドレス生成部６４のための同期タイミング [28]を生成する。
【００４２】
DMUX６３は、上記セレクト信号[25]により、誤り訂正用フレーム（ヘッダ部２１）から、ＦＥＣフレーム番号[26]及びデータレート情報[27]を抽出し、ライトアドレス生成部６４へ渡す。ライトアドレス生成部６４は、データレート情報[27]に基づき、先の受信データ[22]及びＦＥＣフレーム番号[26]をバッファメモリ７に書き込むためのライトアドレス（WAD）[30]を生成する。このライトアドレス[30]により、バッファメモリ７には、データレートを変更されて送信されてきた誤り訂正データ（WFEC） [29]が元のレートに戻されながら書き込まれてゆく。
【００４３】
一方、ＷＤＭ分離部４で分離された主信号の光信号（波長λｉ）は、光入力[32]としてＯ／Ｅ５−ｉに入力され、当該Ｏ／Ｅ５−ｉにて電気信号に戻される（受信データ[33]が出力される）。その際、当該データに同期したクロック（CLK）[34]が抽出されて、各処理部（マルチフレーム同期検出部１２−ｉ，フレーム遅延メモリ１６，リードアドレス生成部１７，バッファメモリ７）へ渡される。
【００４４】
マルチフレーム同期検出部１２−ｉは、受信データ[33]についてフレーム同期パターン検出を行ない、マルチフレーム番号[35]及びフレームパルス[36]を生成し、リードアドレス生成部１７へ送出する。また、受信データ[33]は、誤り訂正用フレームとのタイミング調整のために、フレーム遅延メモリ１６に一時的に保持される。リードアドレス生成部１７は、主信号のマルチフレーム番号に該当するリードＦＥＣフレーム番号[40]及び誤り訂正復号化に必要なタイミングのリードアドレス（RAD）[37]を生成し、これらのリードＦＥＣフレーム番号[40]及びリードアドレス[37]に従って、前記クロック（CLK）[34]に同期して再生RFEC（ＦＥＣデータ）[39]がバッファメモリ７から読み出され、フレーム遅延メモリ１６にて遅延調整された主信号データと同タイミングで、誤り訂正復号化部８（誤り訂正復号部９−ｉ）に送出される。
【００４５】
なお、チャンネル数が増加した場合であっても、基本的には、上述した送信側９Ａのバッファメモリ５１の入力数，受信側９Ｂのバッファメモリ７の出力数，各処理部（Ｏ／Ｅ５−ｉ，マルチフレーム同期検出部１２−ｉ，フレーム遅延メモリ１６，リードアドレス生成部１７）をそのチャンネル増加分だけ、増設することで対応できる。
（２．３）誤り訂正システム全体の動作説明
次に、上述のごとく構成された誤り訂正システム全体の動作について詳述する。
【００４６】
（２．３．１）誤り訂正データのフレームレートを伸長して伝送する場合
図７は誤り訂正データのフレームレートを伸長して伝送する、即ち、誤り訂正データを元のデータレートよりも下げて送信する場合の動作を説明するためのタイムチャートで、図７（ａ）は送信側９Ａ、図７（ｂ）は受信側９Ｂの動作をそれぞれ示している。なお、本例では、主信号データを３マルチフレームと仮定している。
【００４７】
まず、送信側９Ａでは、チャンネル毎に主信号データの各フレームに対するＦＥＣデータ（FEC1-3）が誤り訂正符号化部９−ｉにより生成され、それぞれ多重化部５３にて図５により前述したフレーム構造に従って誤り訂正用フレームが組み立てられる。この際、ＦＥＣデータはバッファメモリ５１に対するライト周期（ライトクロック[4]，[7]）とリード周期（リードクロック[12]）とが異なることにより伸長されて誤り訂正データのデータ部２２に設定（挿入）され、ヘッダ部２１には、そのデータレート情報やマルチフレーム番号等が設定される。
【００４８】
一方、受信側９Ｂでは、図７（ｂ）に示すように、主信号データを受信し、フレーム遅延メモリ１６により、一定時間、遅延させた後、遅延後の主信号データ[38]のタイミングで、送信側９Ａで伸長された受信ＦＥＣデータを上記データレート情報に基づきバッファメモリ７から元のデータレートに戻しながら読み出し、再生ＦＥＣデータ（再生RFEC）として主信号データとともに、誤り訂正復号化部８（誤り訂正復号部８−ｉ）へ送出する。なお、図７ではＣＨ１の主信号データに着目した動作を示しているが、他のチャンネルの主信号データについても同様である。
【００４９】
このようにして、誤り訂正用フレームを主信号チャンネル（波長λ１〜λ４）とは別のチャンネル（誤り訂正用波長）にて伝送するに当たって、誤り訂正用フレーム自体のデータレートを元のデータレートよりも下げて伝送することにより、誤り訂正用フレーム自体のエラー耐力を向上させることができるので、主信号データのエラー耐力を間接的（相対的）に向上させることが可能になる。
【００５０】
（２．３．２）各チャンネルの誤り訂正データのフレームレートを可変する場合
上述した例では、各チャンネルの誤り訂正データのフレームレートを各チャンネルで一定としているが、本実施形態の誤り訂正システムでは、誤り訂正用フレームのヘッダ部２１にデータレート情報をチャンネル単位で設定することが可能になっているので（図６参照）、チャンネル単位で可変にすることもできる。この場合の送信側９Ａ及び受信側９Ｂの動作は図８に示すようになる。なお、図８（ａ）が送信側９Ａ、図８（ｂ）が受信側９Ｂの動作タイミングを示しており、この場合も、各チャンネルの主信号データは３マルチフレームとしている。
【００５１】
まず、送信側９Ａでは、図８（ａ）に示すように、この場合も、チャンネル毎に主信号データの各フレームに対するＦＥＣデータ（FEC1-3）が誤り訂正符号化部９−ｉにより生成され、それぞれ多重化部５３にて図６により前述したフレーム構造に従って誤り訂正用フレームが組み立てられる。即ち、例えば、ＣＨ１のマルチフレーム番号＝３の主信号フレームに対するＦＥＣデータ（FEC3）及びＣＨ２のマルチフレーム番号＝２の主信号フレームに対するＦＥＣデータ（FEC2）が、それぞれ、バッファメモリ５１により、元のデータレートよりも低く、且つ、互いに異なるデータレートに変換されて誤り訂正データのデータ部２２に設定（挿入）され、ヘッダ部２１には、それぞれのデータレート情報やマルチフレーム番号等が設定される。
【００５２】
一方、受信側９Ｂでは、図８（ｂ）に示すように、各チャンネルの主信号データを受信し、フレーム遅延メモリ１６により、一定時間、遅延させた後、遅延後の主信号データ[38]のタイミングで、送信側９Ａで伸長された受信ＦＥＣデータを上記データレート情報に基づきバッファメモリ７から元のデータレートに戻しながら読み出し、再生ＦＥＣデータ（再生RFEC）として主信号データとともに、誤り訂正復号化部８（誤り訂正復号部８−ｉ）へ送出する。なお、図８ではＣＨ１の主信号データに着目した動作を示しているが、他のチャンネルの主信号データについても同様である。
【００５３】
このようにして、チャンネル単位で元のデータレートよりも低く異なるデータレートで誤り訂正データを多重化して伝送することにより、誤り訂正用フレーム自体のエラー耐力を向上して主信号データのエラー耐力を間接的（相対的）に向上させることができるとともに、チャンネルによってエラー耐力についての選択の自由度を向上できる。したがって、例えば、チャンネルの重要度によって誤り訂正データのデータレートを可変することができ、チャンネルの重要度等の要望に応じて柔軟なシステム設定・運用が可能となる。
【００５４】
以上のように、本実施形態によれば、ＷＤＭ伝送システムの既存設備に大規模な変更を加えることなく、容易に、全チャンネルの誤り耐力を一括して向上させることができるので、高い利便性を実現でき、投資コストを抑えることができる。特に、誤り訂正用フレーム自体の誤り率を大幅に低減できるので、主信号に対する誤り訂正能力が間接的（相対的）に向上し、ＷＤＭ伝送に使用できる波長範囲を従来よりも拡大することができる。また、回線（チャンネル）状況に応じて、使用する誤り訂正データを適応的に選択することにより、システムの最適化を図ることもできる。
【００５５】
〔３〕その他
なお、上述した例では、主信号波長が波長λ１〜λ４の４波長である場合について説明したが、勿論、５波長以上の場合も、上記と同様の作用効果が得られることはいうまでもない。また、誤り訂正用フレームを伝送する波長を１波長としているが、２波長以上を使用してもよい。この場合、更にＷＤＭ伝送に使用できる波長範囲を拡大することができる。
【００５６】
また、送信側９Ａにおいて、誤り訂正用フレームの空き部分（例えば図５及び図６に示すダミー情報部分）に、ユーザデータ信号あるいは回線監視制御信号を多重化するようにしてもよい。このようにすれば、誤り訂正用フレームを伝送する波長をユーザデータ信号や回線監視制御信号の伝送と兼用することができ、波長の有効利用を図りつつ、システムの利便性や保守性の向上を図ることができる。特に、上述した例では、誤り訂正用フレームのヘッダ部２１に用途に応じた情報を適宜設定することで、様々な用途に柔軟に対応することができる。
【００５７】
さらに、送信側９Ａにおいて、誤り訂正用フレーム自体に、当該誤り訂正用フレームに対する誤り訂正データを付加して送信し、受信側９Ｂにおいて、受信誤り訂正用フレームに付加された誤り訂正データにより誤り訂正用フレーム自体に対する誤り訂正を行なうようにしてもよい。このようにすれば、誤り訂正用フレーム自体のエラー耐力を更に向上することができるので、主信号のエラー耐力を間接的（相対的）に更に向上することができる。
【００５８】
また、送信側９Ａにおいて、例えばバッファメモリ５１の前段にチャンネル毎のインタリーバを設けて、各チャンネルのＦＥＣデータを多重化前に事前にチャンネル単位でインタリーブして上記別波長にて送信し、受信側９Ｂにおいて、例えばバッファメモリ７の後段にチャンネル毎のデインタリーバを設けて、上記別波長にて送信されてくる各ＦＥＣデータをチャンネル単位でデインタリーブするようにしてもよい。このようにすれば、送信側９Ａ，受信側９Ｂのバッファメモリ５１，７に必要な容量及び誤り訂正復号化の遅延時間を軽減することができるとともに、誤り訂正用フレームのバーストエラーに対する誤り耐力を向上することができ、主信号のエラー耐力を更に向上できる。
【００５９】
そして、本発明は、上述した例に限定されず、本発明の趣旨を逸脱しない範囲で種々変形して実施することができる。
〔４〕付記
（付記１）
波長多重伝送システムに用いられ、複数の波長の主信号に対する各誤り訂正データを該主信号とは別の波長で一括して送信する誤り訂正方法において、
送信側から、上記各誤り訂正データを元のデータレートよりも下げて上記別の波長にて送信し、
受信側において、上記別の波長にて送信されてくる該誤り訂正データのデータレートを元のデータレートに戻し該主信号に対する誤り訂正タイミングを合わせた上で、該主信号に対する誤り訂正を行なうことを特徴とする、波長多重伝送システムに用いられる誤り訂正方法。
【００６０】
（付記２）
該送信側において、
上記各誤り訂正データを選択的に元のデータレートよりも低い可変レートで多重化した多重化信号と、多重化した誤り訂正データのデータレート情報とを含む誤り訂正データ多重化フレームを生成し、
該誤り訂正データ多重化フレームを上記別の波長にて送信することを特徴とする、付記１記載の波長多重伝送システムに用いられる誤り訂正方法。
【００６１】
（付記３）
該受信側において、
上記別の波長で送信されてくる該誤り訂正データ多重化フレームを検出し、
検出した該誤り訂正データ多重化フレームの該データレート情報に基づき上記各誤り訂正データを元のデータレートに変換して再生し、
再生した各誤り訂正データのタイミングと、対応する受信主信号のタイミングとが一致するよう調整した上で、
該誤り訂正データにより該受信主信号の誤り訂正を行なうことを特徴とする、付記２記載の波長多重伝送システムに用いられる誤り訂正方法。
【００６２】
（付記４）
上記別の波長で送信されてくる該誤り訂正データ多重化フレーム自体の誤り率に応じて、異なる誤り訂正方式の誤り訂正データを該誤り訂正データ多重化フレームに多重化することを特徴とする、付記２又は３に記載の波長多重伝送システムに用いられる誤り訂正方法。
【００６３】
（付記５）
該送信側において、該誤り訂正データ多重化フレーム自体に、該誤り訂正データ多重化フレームに対する誤り訂正データを付加して送信し、
該受信側において、該誤り訂正データ多重化フレームに付加された該誤り訂正データにより該誤り訂正データ多重化フレーム自体に対する誤り訂正を行なうことを特徴とする、付記２〜４のいずれか１項に記載の波長多重伝送システムに用いられる誤り訂正方法。
【００６４】
（付記６）
該送信側において、該誤り訂正データ多重化フレームの空き部分に、ユーザデータ信号を多重化することを特徴とする、付記２〜５のいずれか１項に記載の波長多重伝送システムに用いられる誤り訂正方法。
（付記７）
該送信側において、該誤り訂正データ多重化フレームの空き部分に、回線監視制御信号を多重化することを特徴とする、付記２〜６のいずれか１項に記載の波長多重伝送システムに用いられる誤り訂正方法。
【００６５】
（付記８）
該送信側において、上記各誤り訂正データをインタリーブして上記別の波長にて送信し、
該受信側において、上記別の波長にて送信されてくる各誤り訂正データをデインタリーブすることを特徴とする、付記１〜７のいずれか１項に記載の波長多重伝送システムに用いられる誤り訂正方法。
【００６６】
（付記９）
波長多重伝送システムに用いられ、複数の波長の主信号に対する各誤り訂正データを該主信号とは別の波長で一括して送信する誤り訂正システムであって、
上記各誤り訂正データを元のデータレートよりも下げて上記別の波長にて送信する誤り訂正送信装置と、
該主信号と上記別の波長で送信されてくる該誤り訂正データのデータレートを元のデータレートに戻し該主信号に対する誤り訂正タイミングを合わせた上で、該主信号に対する誤り訂正を行なう誤り訂正受信装置とをそなえて構成されたことを特徴とする、波長多重伝送システムに用いられる誤り訂正システム。
【００６７】
（付記１０）
波長多重伝送システムに用いられ、複数の波長の主信号に対する各誤り訂正データを該主信号とは別の波長で一括して送信する誤り訂正システムを構成する誤り訂正送信装置であって、
上記各誤り訂正データを元のデータレートよりも低いデータレートに変換する誤り訂正データレート変換手段と、
該誤り訂正データレート変換手段により変換されたデータレートで該誤り訂正データを上記別の波長にて送信する光送信手段とをそなえて構成されたことを特徴とする、波長多重伝送システムに用いられる誤り訂正送信装置。
【００６８】
（付記１１）
該誤り訂正データレート変換手段が、
上記各誤り訂正データを選択的に元のデータレートよりも低い可変レートで多重化した多重化信号と、多重化した誤り訂正データのデータレート情報とを含む誤り訂正データ多重化フレームを生成する誤り訂正データ多重化フレーマをそなえて構成されたことを特徴とする、付記１０記載の波長多重伝送システムに用いられる誤り訂正送信装置。
【００６９】
（付記１２）
波長多重伝送システムに用いられ、複数の波長の主信号に対する各誤り訂正データを該主信号とは別の波長で一括して送信する誤り訂正システムを構成する誤り訂正受信装置であって、
送信側から元のデータレートよりも低いデータレートで上記別の波長にて送信されてくる該誤り訂正データを元のデータレートに変換して再生する誤り訂正データレート変換再生手段と、
該誤り訂正データレート変換再生手段により再生された誤り訂正データと、対応する主信号との誤り訂正タイミングのタイミング調整を行なうタイミング調整手段とをそなえて構成されたことを特徴とする、波長多重伝送システムに用いられる誤り訂正受信装置。
【００７０】
（付記１３）
該誤り訂正データレート変換再生手段が、
送信側において上記各誤り訂正データを選択的に元のデータよりも低い可変レートで多重化した多重化信号と、多重化した誤り訂正データのデータレート情報とを含む誤り訂正データ多重化フレームを検出する誤り訂正データ多重化フレーム検出部と、
該誤り訂正データ多重化フレーム検出部で検出された誤り訂正データ多重化フレームの該データレート情報に基づき上記各誤り訂正データを元のデータレートに変換して再生する誤り訂正データ再生部とをそなえて構成されたことを特徴とする、付記１２記載の波長多重伝送システムに用いられる誤り訂正受信装置。
【産業上の利用可能性】
【００７１】
以上のように、本発明によれば、別波長で伝送される誤り訂正データ自体の誤り耐力を向上させて、ＷＤＭ伝送される各波長の主信号の誤り耐力を各波長一括して相対的に向上することができるので、使用可能波長範囲の拡大、投資コストの低減等を図ることが可能となり、光通信技術分野において極めて有用であると考えられる。
【図面の簡単な説明】
【００７２】
【図１】本発明の一実施形態としての誤り訂正システムが適用される波長多重（ＷＤＭ）伝送システムの構成を示すブロック図である。
【図２】図１に示すＷＤＭ伝送システム及び誤り訂正システムの詳細構成を示すブロック図である。
【図３】図１及び図２に示す誤り訂正システムの送信側（誤り訂正送信装置）における誤り訂正用フレーマの構成を示すブロック図である。
【図４】図１及び図２に示す誤り訂正システムの受信側（誤り訂正受信装置）に着目した構成を示すブロック図である。
【図５】本実施形態で使用する誤り訂正用フレーム（シングルチャンネル）の構造例を示す図である。
【図６】本実施形態で使用する誤り訂正用フレーム（マルチチャンネル）の構造例を示す図である。
【図７】本実施形態の誤り訂正システムの動作（誤り訂正データのデータレートを伸長する場合）を説明するためのタイムチャートで、（ａ）は送信側、（ｂ）は受信側の動作をそれぞれ示すタイムチャートである。
【図８】本実施形態の誤り訂正システムの動作（各チャンネルの誤り訂正データのデータレートを可変する場合）を説明するためのタイムチャートで、（ａ）は送信側、（ｂ）は受信側の動作をそれぞれ示すタイムチャートである。
【図９】従来の誤り訂正符号化方式の一例を説明するための模式図である。
【符号の説明】
【００７３】
１−１〜１−４  電気・光変換器（Ｅ／Ｏ）
１−５  電気・光変換器（Ｅ／Ｏ）（光送信手段）
２  ＷＤＭ多重化部
３  光伝送路（光ファイバ）
４  ＷＤＭ分離部
５  誤り訂正用フレーマ（誤り訂正データ多重化フレーマ）
５０  ライトフレームカウンタ
５１  バッファメモリ（ＦＩＦＯ）
５２  リードフレームカウンタ
５３  多重化部（MUX）
５−１〜５−５  光・電気変換器（Ｏ／Ｅ）
６，１２−１〜１２−４  マルチフレーム同期検出部
６１  ユニークワード（ＵＷ）フレーム同期検出部
６２  フレームカウンタ
６３  分離部（DMUX）
６４  ライトアドレス生成部
７  バッファメモリ（ＦＩＦＯ）
８  誤り訂正復号化部
８−１〜８−４  誤り訂正復号部
９−１，９−２，９−３，９−４  誤り訂正符号化部
９Ａ  送信側（誤り訂正送信装置）
９Ｂ  受信側（誤り訂正受信装置）
１０  ローカル発振器
１５−１〜１５−４  セレクタ
１６  フレーム遅延メモリ（タイミング調整手段）
１７  リードアドレス生成部
２１  ヘッダ部
２２  データ部
【図１】
2005210623.tif 000003
【図２】
2005210623.tif 000004
【図３】
2005210623.tif 000005
【図４】
2005210623.tif 000006
【図５】
2005210623.tif 000007
【図６】
2005210623.tif 000008
【図７】
2005210623.tif 000009
【図８】
2005210623.tif 000010
【図９】
2005210623.tif 000011